(57)【要約】      （修正有）【課題】ユーザのつまずいているポイント等着目したいポイントを境に描画再生速度を変更し、業務の効率化を図る。【解決手段】携帯型端末は、手書きデータの座標情報・時刻情報・イベント情報を検出する。送信手段は、検出した座標情報と時刻情報とイベント情報とを対にしてサーバに送信する。一方、サーバの保存手段は、受信した座標情報と時刻情報とイベント情報とを対にして保存する。情報付加手段は、受信した座標情報と時刻情報とイベント情報とを解析して特徴的なポイントの座標情報と時刻情報との対にフラグ情報を付加する。返送手段は、特徴的なポイントの座標情報と時刻情報と付加情報を含むその他すべての受信情報を携帯型端末に返送する。そして、携帯型端末の描画処理手段は、受信した特徴的なポイントのフラグ情報を検出したときに、描画処理速度を高速再生から任意の再生速度に変更し、表示手段が、描画処理された情報をパネルに表示する。【選択図】図７
2014038404.tif 000002
【特許請求の範囲】
【請求項１】
携帯型端末と、サーバとからなり、前記サーバが格納する問題を前記携帯型端末に配信するとともに、前記配信した問題に対して、前記携帯型端末を用いて解答された解答データをユーザに対応付けて保存し、前記解答データの解析等の処理を行う手書きデータ再生表示システムであって、
前記携帯型端末が、
入力された手書きデータの座標情報を検出する座標情報検出手段と、
該入力された手書きデータの時刻情報を検出する時刻情報検出手段と、
前記入力された手書きデータのイベント情報を検出するイベント情報検出手段と、
前記検出した座標情報と時刻情報とイベント情報とを対にして前記サーバに送信する送信手段と、
を備え、
前記サーバが、
受信した前記座標情報と時刻情報とイベント情報とを対にして保存する保存手段と、
受信した前記座標情報と時刻情報とイベント情報とを解析して特徴的なポイントの前記座標情報と時刻情報との対にフラグ情報を付加する情報付加手段と、
該特徴的なポイントの座標情報と時刻情報と付加情報を含むその他すべての受信情報を前記携帯型端末に返送する返送手段と、
を備え、
前記携帯型端末が、
受信した前記特徴的なポイントのフラグ情報を検出したときに、描画処理速度を高速再生から任意の再生速度に変更する描画処理手段と、
該描画処理された情報をパネルに表示する表示手段と、
を備えたことを特徴とする手書きデータ再生表示システム。
【請求項２】
携帯型端末と、サーバとからなり、前記サーバが格納する問題を前記携帯型端末に配信するとともに、前記配信した問題に対して、前記携帯型端末を用いて解答された解答データをユーザに対応付けて保存し、前記解答データの解析等の処理を行う手書きデータ再生表示システムであって、
前記携帯型端末が、
入力された手書きデータの座標情報を検出する座標情報検出手段と、
該入力された手書きデータの時刻情報を検出する時刻情報検出手段と、
前記入力された手書きデータのイベント情報を検出するイベント情報検出手段と、
前記検出した座標情報と時刻情報とイベント情報とを対にして前記サーバに送信する送信手段と、
を備え、
前記サーバが、
受信した前記座標情報と時刻情報とイベント情報とを対にして保存する保存手段と、
受信した前記座標情報と時刻情報とイベント情報とを解析して特徴的なポイントの前記座標情報と時刻情報との対にフラグ情報を付加する情報付加手段と、
該特徴的なポイントの座標情報と時刻情報と付加情報を含むその他すべての受信情報を前記携帯型端末に返送する返送手段と、
を備え、
前記携帯型端末が、
描画処理の開始を指示する描画処理指示手段と、
該描画処理の開始指示に基づいて、描画処理を行う描画処理手段と、
該描画処理された情報をパネルに表示する表示手段と、
受信した前記特徴的なポイントの座標情報と時刻情報とイベント情報とに基づいて、該当箇所に前記特徴的なポイント対応した表示を行うシークバーと、
を備え、
前記携帯型端末が、前記特徴的なポイント対応した表示箇所に触れられたときに、前記描画処理指示手段が起動し、前記描画処理手段が、前記特徴的なポイント以降の描画処理速度を高速再生から任意の再生速度に変更することを特徴とする手書きデータ再生表示システム。
【請求項３】
前記イベント情報が、少なくとも、前記パネルへの接触開始、接触状態を維持したままの移動、接触終了、手書きデータの一部消去、手書きデータの全部消去であることを特徴とする請求項１または請求項２に記載の手書きデータ再生表示システム。
【請求項４】
前記情報付加手段が、受信した前記座標情報と時刻情報とイベント情報とに基づいて、少なくとも、手書きデータのひと筆に要する時間が所定の時間以上である場合に、当該座標情報と時刻情報とに前記フラグ情報を付加することを特徴とする請求項１または請求項２に記載の手書きデータ再生表示システム。
【請求項５】
前記情報付加手段が、受信したイベント情報に基づいて、少なくとも、所定回数以上の手書きデータの全部消去が行われたときに、次のデータの座標情報と時刻情報とに前記フラグ情報を付加することを特徴とする請求項１または請求項２に記載の手書きデータ再生表示システム。
【請求項６】
前記情報付加手段が、受信したイベント情報に基づいて、少なくとも、所定回数以上の手書きデータの一部消去が行われたときに、次のデータの座標情報と時刻情報とに前記フラグ情報を付加することを特徴とする請求項１または請求項２に記載の手書きデータ再生表示システム。
【請求項７】
前記表示部が、受信した前記特徴的なポイント以降の描画色を変えて表示することを特徴とする請求項１または請求項２に記載の手書きデータ再生表示システム。
【請求項８】
前記携帯型端末が、タブレット端末であることを特徴とする請求項１または請求項２に記載の手書きデータ再生表示システム。
【請求項９】
携帯型端末と、サーバとからなり、前記サーバが格納する問題を前記携帯型端末に配信するとともに、前記配信した問題に対して、前記携帯型端末を用いて解答された解答データをユーザに対応付けて保存し、前記解答データの解析等の処理を行う手書きデータ再生表示システムにおけるデータ再生表示方法であって、
前記携帯型端末が、入力された手書きデータの座標情報を検出する第１のステップと、
前記携帯型端末が、該入力された手書きデータの時刻情報を検出する第２のステップと、
前記携帯型端末が、前記入力された手書きデータのイベント情報を検出する第３のステップと、
前記携帯型端末が、前記検出した座標情報と時刻情報とイベント情報とを対にして前記サーバに送信する第４のステップと、
前記サーバが、受信した前記座標情報と時刻情報とイベント情報とを対にして保存する第５のステップと、
前記サーバが、受信した前記座標情報と時刻情報とイベント情報とを解析して特徴的なポイントの前記座標情報と時刻情報との対にフラグ情報を付加する第６のステップと、
前記サーバが、該特徴的なポイントの座標情報と時刻情報と付加情報を含むその他すべての受信情報を前記携帯型端末に返送する第７のステップと、
前記携帯型端末が、受信した前記特徴的なポイントのフラグ情報を検出したときに、描画処理速度を高速再生から任意の再生速度に変更する第８のステップと、
前記携帯型端末が、該描画処理された情報をパネルに表示する第９のステップと、
を備えたことを特徴とする手書きデータ再生表示方法。
【請求項１０】
携帯型端末と、サーバとからなり、前記サーバが格納する問題を前記携帯型端末に配信するとともに、前記配信した問題に対して、前記携帯型端末を用いて解答された解答データをユーザに対応付けて保存し、前記解答データの解析等の処理を行う手書きデータ再生表示システムにおけるデータ再生表示方法であって、
前記携帯型端末が、入力された手書きデータの座標情報を検出する第１のステップと、
前記携帯型端末が、該入力された手書きデータの時刻情報を検出する第２のステップと、
前記携帯型端末が、前記入力された手書きデータのイベント情報を検出する第３のステップと、
前記携帯型端末が、前記検出した座標情報と時刻情報とイベント情報とを対にして前記サーバに送信する第４のステップと、
前記サーバが、受信した前記座標情報と時刻情報とイベント情報とを対にして保存する第５のステップと、
前記サーバが、受信した前記座標情報と時刻情報とイベント情報とを解析して特徴的なポイントの前記座標情報と時刻情報との対にフラグ情報を付加する第６のステップと、
前記サーバが、該特徴的なポイントの座標情報と時刻情報と付加情報を含むその他すべての受信情報を前記携帯型端末に返送する第７のステップと、
前記携帯型端末が、前記特徴的なポイントの座標情報と時刻情報とイベント情報とに基づいて、該当箇所に前記特徴的なポイント対応した表示を行うシークバーの前記特徴的なポイント対応した表示箇所に触れられたときに、前記描画処理を起動し、前記特徴的なポイント以降の描画処理速度を高速再生から任意の再生速度に変更する第８のステップと、
を備えたことを特徴とする手書きデータ再生表示方法。
【請求項１１】
携帯型端末と、サーバとからなり、前記サーバが格納する問題を前記携帯型端末に配信するとともに、前記配信した問題に対して、前記携帯型端末を用いて解答された解答データをユーザに対応付けて保存し、前記解答データの解析等の処理を行う手書きデータ再生表示システムにおけるデータ再生表示方法をコンピュータに実行させるためのプログラムであって、
前記携帯型端末が、入力された手書きデータの座標情報を検出する第１のステップと、
前記携帯型端末が、該入力された手書きデータの時刻情報を検出する第２のステップと、
前記携帯型端末が、前記入力された手書きデータのイベント情報を検出する第３のステップと、
前記携帯型端末が、前記検出した座標情報と時刻情報とイベント情報とを対にして前記サーバに送信する第４のステップと、
前記サーバが、受信した前記座標情報と時刻情報とイベント情報とを対にして保存する第５のステップと、
前記サーバが、受信した前記座標情報と時刻情報とイベント情報とを解析して特徴的なポイントの前記座標情報と時刻情報との対にフラグ情報を付加する第６のステップと、
前記サーバが、該特徴的なポイントの座標情報と時刻情報と付加情報を含むその他すべての受信情報を前記携帯型端末に返送する第７のステップと、
前記携帯型端末が、受信した前記特徴的なポイントのフラグ情報を検出したときに、描画処理速度を高速再生から任意の再生速度に変更する第８のステップと、
前記携帯型端末が、該描画処理された情報をパネルに表示する第９のステップと、
をコンピュータに実行させるためのプログラム。
【請求項１２】
携帯型端末と、サーバとからなり、前記サーバが格納する問題を前記携帯型端末に配信するとともに、前記配信した問題に対して、前記携帯型端末を用いて解答された解答データをユーザに対応付けて保存し、前記解答データの解析等の処理を行う手書きデータ再生表示システムにおけるデータ再生表示方法をコンピュータに実行させるためのプログラムであって、
前記携帯型端末が、入力された手書きデータの座標情報を検出する第１のステップと、
前記携帯型端末が、該入力された手書きデータの時刻情報を検出する第２のステップと、
前記携帯型端末が、前記入力された手書きデータのイベント情報を検出する第３のステップと、
前記携帯型端末が、前記検出した座標情報と時刻情報とイベント情報とを対にして前記サーバに送信する第４のステップと、
前記サーバが、受信した前記座標情報と時刻情報とイベント情報とを対にして保存する第５のステップと、
前記サーバが、受信した前記座標情報と時刻情報とイベント情報とを解析して特徴的なポイントの前記座標情報と時刻情報との対にフラグ情報を付加する第６のステップと、
前記サーバが、該特徴的なポイントの座標情報と時刻情報と付加情報を含むその他すべての受信情報を前記携帯型端末に返送する第７のステップと、
前記携帯型端末が、前記特徴的なポイントの座標情報と時刻情報とイベント情報とに基づいて、該当箇所に前記特徴的なポイント対応した表示を行うシークバーの前記特徴的なポイント対応した表示箇所に触れられたときに、前記描画処理を起動し、前記特徴的なポイント以降の描画処理速度を高速再生から任意の再生速度に変更する第８のステップと、
をコンピュータに実行させるためのプログラム。
【発明の詳細な説明】
【技術分野】
【０００１】
本発明は、例えば、タブレット端末等のＩＣＴ機器を利用した学習、教育に関し、ユーザが手書きした回答内容を再生表示する手書きデータ再生表示システム、手書きデータ再生表示方法およびプログラムに関する。
【背景技術】
【０００２】
従来、手書き入力を認識する装置として、デジタイザを用いた装置が提案されている。この装置は、ペン先の移動軌跡上の座標位置を所定周期で検出し、その検出座標位置に対応した所定データ形式の手書き入力信号を生成するデジタイザと、このデジタイザで生成された手書き入力信号を生成順に時系列的に順次蓄積する入力バッファと、この入力バッファに蓄積された手書き入力信号を蓄積順に可視画像信号に変換する信号処理部と、ＩＳＤＮ回線に接続された回線制御部とのデータ送受信を行う送受信バッファを含む処理装置と、可視画像信号を受けて可視画像として表示するディスプレイ部と、ＩＳＤＮ回線とのデータ転送を制御する回線制御部とから構成されている。
【０００３】
そして、この構成において、送信側の処理装置の信号処理部は、入力バッファ内に蓄積した手書き入力信号を１個ずつ逐次取り出して、可視画像信号を生成し、生成した可視画像信号を自装置のディスプレイ部に可視画像として表示するとともに、表示した可視画像に対応する手書き入力信号を送信バッファに転送して手書き入力信号列からなるパケットに組み立て、予め定められた信号数からなるパケットの組み立てが終わるか、あるいはペンアップを相手端末装置にＩＳＤＮ回線を通じて送信するようになっている。これに対して、受信側の処理装置は、受信したパケットから手書き入力信号を逐次取り出して可視画像信号に変換し、自装置のディスプレイ部に転送して可視画像として再生表示するようになっている（例えば、特許文献１参照）。
【先行技術文献】
【特許文献】
【０００４】
【特許文献１】特開平４−３６９７０８号公報
【発明の概要】
【発明が解決しようとする課題】
【０００５】
しかしながら、上記の従来技術では、手書きデータを再生する際、実時間（手書きデータの入力時間）で、データの再生を行うシステムであるため、再生完了までに、相当の時間を要するという問題がある。特に、ＩＣＴ機器を利用した学習を想定した場合では、生徒の手書き入力データを教師が確認する利用シーンが想定されるが、多くの生徒の手書き入力データを限られた時間内に確認することを考えると、ある程度の再生表示スピードが求められる。また、業務効率を高める観点から、生徒のつまずいているポイント等教師の着目したいポイントから手書きデータの再生を行いたいという要求に対して、これに、応えるような技術は、開示されていない。
【０００６】
そこで、本発明は、上述の課題に鑑みてなされたものであり、ユーザのつまずいているポイント等着目したいポイントを境に描画再生速度を変更し、業務の効率化を図る手書きデータ再生表示システム、手書きデータ再生表示方法およびプログラムを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）本発明は、携帯型端末（例えば、図１の携帯型端末１００に相当）と、サーバ（例えば、図１のサーバ２００に相当）とからなり、前記サーバが格納する問題を前記携帯型端末に配信するとともに、前記配信した問題に対して、前記携帯型端末を用いて解答された解答データをユーザに対応付けて保存し、前記解答データの解析等の処理を行う手書きデータ再生表示システムであって、前記携帯型端末が、入力された手書きデータの座標情報を検出する座標情報検出手段（例えば、図２の座標情報検出部１１０に相当）と、該入力された手書きデータの時刻情報を検出する時刻情報検出手段（例えば、図２の時刻情報検出部１２０に相当）と、前記入力された手書きデータのイベント情報を検出するイベント情報検出手段（例えば、図２のイベント情報検出部１３０に相当）と、前記検出した座標情報と時刻情報とイベント情報とを対にして前記サーバに送信する送信手段（例えば、図２の送信部１４０に相当）と、を備え、前記サーバが、受信した前記座標情報と時刻情報とイベント情報とを対にして保存する保存手段（例えば、図５の保存部２２０に相当）と、受信した前記座標情報と時刻情報とイベント情報とを解析して特徴的なポイントの前記座標情報と時刻情報との対にフラグ情報を付加する情報付加手段（例えば、図５の情報付加部２３０に相当）と、該特徴的なポイントの座標情報と時刻情報と付加情報を含むその他すべての受信情報を前記携帯型端末に返送する返送手段（例えば、図５の送信部２４０に相当）と、を備え、前記携帯型端末が、受信した前記特徴的なポイントのフラグ情報を検出したときに、描画処理速度を高速再生から任意の再生速度に変更する描画処理手段（例えば、図２の描画処理部１６０に相当）と、該描画処理された情報をパネルに表示する表示手段（例えば、図２の表示部１７０に相当）と、を備えたことを特徴とする手書きデータ再生表示システムを提案している。
【０００９】
この発明によれば、携帯型端末の座標情報検出手段は、入力された手書きデータの座標情報を検出する。携帯型端末の時刻情報検出手段は、入力された手書きデータの時刻情報を検出する。携帯型端末のイベント情報検出手段は、入力された手書きデータのイベント情報を検出する。携帯型端末の送信手段は、検出した座標情報と時刻情報とイベント情報とを対にしてサーバに送信する。一方、サーバの保存手段は、受信した座標情報と時刻情報とイベント情報とを対にして保存する。サーバの情報付加手段は、受信した座標情報と時刻情報とイベント情報とを解析して特徴的なポイントの座標情報と時刻情報との対にフラグ情報を付加する。サーバの返送手段は、特徴的なポイントの座標情報と時刻情報と付加情報を含むその他すべての受信情報を携帯型端末に返送する。そして、携帯型端末の描画処理手段は、受信した特徴的なポイントのフラグ情報を検出したときに、描画処理速度を高速再生から任意の再生速度に変更し、携帯型端末の表示手段が、描画処理された情報をパネルに表示する。つまり、携帯型端末は、イベント情報を検出し、座標情報、時刻情報ともに、これらの情報をサーバに送信し、サーバは、受信した座標情報と時刻情報とイベント情報とを解析して特徴的なポイントの座標情報と時刻情報との対にフラグ情報を付加し、特徴的なポイントの座標情報と時刻情報と付加情報を含むその他すべての受信情報を返送する。そして、携帯型端末は、受信した特徴的なポイントのフラグ情報を検出したときに、描画処理速度を高速再生から任意の再生速度に変更して、表示する。したがって、特徴的なポイントより前の表示データを高速再生し、特徴的なポイント以降の表示データを通常再生することから、無駄な待ち時間の発生を防止し、業務効率の向上を図ることができる。
【００１０】
（２）本発明は、携帯型端末（例えば、図１の携帯型端末１００に相当）と、サーバ（例えば、図１のサーバ２００に相当）とからなり、前記サーバが格納する問題を前記携帯型端末に配信するとともに、前記配信した問題に対して、前記携帯型端末を用いて解答された解答データをユーザに対応付けて保存し、前記解答データの解析等の処理を行う手書きデータ再生表示システムであって、前記携帯型端末が、入力された手書きデータの座標情報を検出する座標情報検出手段（例えば、図２の座標情報検出部１１０に相当）と、該入力された手書きデータの時刻情報を検出する時刻情報検出手段（例えば、図２の時刻情報検出部１２０に相当）と、前記入力された手書きデータのイベント情報を検出するイベント情報検出手段（例えば、図２のイベント情報検出部１３０に相当）と、前記検出した座標情報と時刻情報とイベント情報とを対にして前記サーバに送信する送信手段（例えば、図２の送信部１４０に相当）と、を備え、前記サーバが、受信した前記座標情報と時刻情報とイベント情報とを対にして保存する保存手段（例えば、図５の保存部２２０に相当）と、受信した前記座標情報と時刻情報とイベント情報とを解析して特徴的なポイントの前記座標情報と時刻情報との対にフラグ情報を付加する情報付加手段（例えば、図５の情報付加部２３０に相当）と、該特徴的なポイントの座標情報と時刻情報と付加情報を含むその他すべての受信情報を前記携帯型端末に返送する返送手段（例えば、図５の送信部２４０に相当）と、を備え、前記携帯型端末が、描画処理の開始を指示する描画処理指示手段（例えば、図８の描画処理指示部３２０に相当）と、該描画処理の開始指示に基づいて、描画処理を行う描画処理手段（例えば、図８の描画処理部１６０に相当）と、該描画処理された情報をパネルに表示する表示手段（例えば、図８の表示部１７０に相当）と、受信した前記特徴的なポイントの座標情報と時刻情報とイベント情報とに基づいて、該当箇所に前記特徴的なポイント対応した表示を行うシークバー（例えば、図８のシークバー３１０に相当）と、を備え、前記携帯型端末が、前記特徴的なポイント対応した表示箇所に触れられたときに、前記描画処理指示手段が起動し、前記描画処理手段が、前記特徴的なポイント以降の描画処理速度を高速再生から任意の再生速度に変更することを特徴とする手書きデータ再生表示システムを提案している。
【００１１】
この発明によれば、携帯型端末の座標情報検出手段は、入力された手書きデータの座標情報を検出する。携帯型端末の時刻情報検出手段は、入力された手書きデータの時刻情報を検出する。携帯型端末のイベント情報検出手段は、入力された手書きデータのイベント情報を検出する。携帯型端末の送信手段は、検出した座標情報と時刻情報とイベント情報とを対にしてサーバに送信する。一方、サーバの保存手段は、受信した座標情報と時刻情報とイベント情報とを対にして保存する。サーバの情報付加手段は、受信した座標情報と時刻情報とイベント情報とを解析して特徴的なポイントの座標情報と時刻情報との対にフラグ情報を付加する。サーバの返送手段は、特徴的なポイントの座標情報と時刻情報と付加情報を含むその他すべての受信情報を携帯型端末に返送する。携帯型端末の描画処理指示手段は、描画処理の開始を指示する。携帯型端末の描画処理手段は、描画処理の開始指示に基づいて、描画処理を行う。携帯型端末の表示手段は、描画処理された情報をパネルに表示する。携帯型端末のシークバーは、受信した特徴的なポイントの座標情報と時刻情報とイベント情報とに基づいて、該当箇所に特徴的なポイント対応した表示を行う。そして、携帯型端末は、特徴的なポイント対応した表示箇所に触れられたときに、描画処理指示手段が起動し、描画処理手段が、特徴的なポイント以降の描画処理速度を高速再生から任意の再生速度に変更する。つまり、携帯型端末は、イベント情報を検出し、座標情報、時刻情報ともに、これらの情報をサーバに送信し、サーバは、受信した座標情報と時刻情報とイベント情報とを解析して特徴的なポイントの座標情報と時刻情報との対にフラグ情報を付加し、特徴的なポイントの座標情報と時刻情報と付加情報を含むその他すべての受信情報を返送する。そして、携帯型端末は、シークバー上の特徴的なポイント対応した表示箇所に触れられたときに、描画処理指示手段が起動し、描画処理手段が、特徴的なポイント以降の描画処理速度を高速再生から任意の再生速度に変更する。したがって、シークバー上の特徴的なポイント対応した表示箇所に触れられたときに、特徴的なポイントより前の表示データを高速再生し、特徴的なポイント以降の表示データを通常再生することから、無駄な待ち時間の発生を防止し、業務効率の向上を図ることができる。
【００１２】
（３）本発明は、（１）または（２）の手書きデータ再生表示システムについて、前記イベント情報が、少なくとも、前記パネルへの接触開始、接触状態を維持したままの移動、接触終了、手書きデータの一部消去、手書きデータの全部消去であることを特徴とする手書きデータ再生表示システムを提案している。
【００１３】
この発明によれば、イベント情報が、少なくとも、パネルへの接触開始、接触状態を維持したままの移動、接触終了、手書きデータの一部消去、手書きデータの全部消去である。つまり、情報入力に対するユーザの挙動を検出することにより、スムーズに解答できている部分と解答に困っている部分とを切り分けることができる。
【００１４】
（４）本発明は、（１）または（２）の手書きデータ再生表示システムについて、前記情報付加手段が、受信した前記座標情報と時刻情報とイベント情報とに基づいて、少なくとも、手書きデータのひと筆に要する時間が所定の時間以上である場合に、当該座標情報と時刻情報とに前記フラグ情報を付加することを特徴とする手書きデータ再生表示システムを提案している。
【００１５】
この発明によれば、情報付加手段が、受信した座標情報と時刻情報とイベント情報とに基づいて、少なくとも、手書きデータのひと筆に要する時間が所定の時間以上である場合に、座標情報と時刻情報とにフラグ情報を付加する。つまり、手書きデータのひと筆に要する時間を要素に判断することによって、ユーザが解答に困っている箇所をフラグによって特定することができる。
【００１６】
（５）本発明は、（１）または（２）の手書きデータ再生表示システムについて、前記情報付加手段が、受信したイベント情報に基づいて、少なくとも、所定回数以上の手書きデータの全部消去が行われたときに、次のデータの座標情報と時刻情報とに前記フラグ情報を付加することを特徴とする手書きデータ再生表示システムを提案している。
【００１７】
この発明によれば、情報付加手段が、受信したイベント情報に基づいて、少なくとも、所定回数以上の手書きデータの全部消去が行われたときに、次のデータの座標情報と時刻情報とにフラグ情報を付加する。つまり、所定回数以上の手書きデータの全部消去が行われたときは、ユーザが解答に困っている箇所と判断し、フラグを付加する。
【００１８】
（６）本発明は、（１）または（２）の手書きデータ再生表示システムについて、前記情報付加手段が、受信したイベント情報に基づいて、少なくとも、所定回数以上の手書きデータの一部消去が行われたときに、次のデータの座標情報と時刻情報とに前記フラグ情報を付加することを特徴とする手書きデータ再生表示システムを提案している。  
【００１９】
この発明によれば、情報付加手段が、受信したイベント情報に基づいて、少なくとも、所定回数以上の手書きデータの一部消去が行われたときに、次のデータの座標情報と時刻情報とにフラグ情報を付加する。つまり、所定回数以上の手書きデータの一部消去が行われたときは、ユーザが解答に困っている箇所と判断し、フラグを付加する。
【００２０】
（７）本発明は、（１）または（２）の手書きデータ再生表示システムについて、前記表示部が、受信した前記特徴的なポイント以降の描画色を変えて表示することを特徴とする手書きデータ再生表示システムを提案している。
【００２１】
この発明によれば、表示部が、受信した特徴的なポイント以降の描画色を変えて表示する。これにより、ユーザが解答に困っている箇所を視覚的にも認知することができる。
【００２２】
（８）本発明は、（１）または（２）の手書きデータ再生表示システムについて、前記携帯型端末が、タブレット端末であることを特徴とする手書きデータ再生表示システムを提案している。
【００２３】
この発明によれば、携帯型端末が、タブレット端末であるため、持ち運びが自由であり、場所を選ばずに、ユーザが本システムを利用することができる。
【００２４】
（９）本発明は、携帯型端末と、サーバとからなり、前記サーバが格納する問題を前記携帯型端末に配信するとともに、前記配信した問題に対して、前記携帯型端末を用いて解答された解答データをユーザに対応付けて保存し、前記解答データの解析等の処理を行う手書きデータ再生表示システムにおけるデータ再生表示方法であって、前記携帯型端末が、入力された手書きデータの座標情報を検出する第１のステップ（例えば、図７のステップＳ１０１に相当）と、前記携帯型端末が、該入力された手書きデータの時刻情報を検出する第２のステップ（例えば、図７のステップＳ１０２に相当）と、前記携帯型端末が、前記入力された手書きデータのイベント情報を検出する第３のステップ（例えば、図７のステップＳ１０３に相当）と、前記携帯型端末が、前記検出した座標情報と時刻情報とイベント情報とを対にして前記サーバに送信する第４のステップ（例えば、図７のステップＳ１０４に相当）と、前記サーバが、受信した前記座標情報と時刻情報とイベント情報とを対にして保存する第５のステップ（例えば、図７のステップＳ１０５に相当）と、前記サーバが、受信した前記座標情報と時刻情報とイベント情報とを解析して特徴的なポイントの前記座標情報と時刻情報との対にフラグ情報を付加する第６のステップ（例えば、図７のステップＳ１０６に相当）と、前記サーバが、該特徴的なポイントの座標情報と時刻情報と付加情報を含むその他すべての受信情報を前記携帯型端末に返送する第７のステップ（例えば、図７のステップＳ１０７に相当）と、前記携帯型端末が、受信した前記特徴的なポイントのフラグ情報を検出したときに、描画処理速度を高速再生から任意の再生速度に変更する第８のステップ（例えば、図７のステップＳ１０８に相当）と、前記携帯型端末が、該描画処理された情報をパネルに表示する第９のステップ（例えば、図７のステップＳ１０９に相当）と、を備えたことを特徴とする手書きデータ再生表示方法を提案している。
【００２５】
この発明によれば、携帯型端末が、入力された手書きデータの座標情報を検出し、入力された手書きデータの時刻情報を検出する。また、入力された手書きデータのイベント情報を検出し、検出した座標情報と時刻情報とイベント情報とを対にしてサーバに送信する。サーバは、受信した座標情報と時刻情報とイベント情報とを対にして保存し、受信した座標情報と時刻情報とイベント情報とを解析して特徴的なポイントの座標情報と時刻情報との対にフラグ情報を付加する。また、サーバは、特徴的なポイントの座標情報と時刻情報と付加情報を含むその他すべての受信情報を携帯型端末に返送する。そして、携帯型端末が、受信した特徴的なポイントのフラグ情報を検出したときに、描画処理速度を高速再生から任意の再生速度に変更し、描画処理された情報をパネルに表示する。つまり、携帯型端末は、イベント情報を検出し、座標情報、時刻情報ともに、これらの情報をサーバに送信し、サーバは、受信した座標情報と時刻情報とイベント情報とを解析して特徴的なポイントの座標情報と時刻情報との対にフラグ情報を付加し、特徴的なポイントの座標情報と時刻情報と付加情報を含むその他すべての受信情報を返送する。そして、携帯型端末は、シークバー上の特徴的なポイント対応した表示箇所に触れられたときに、特徴的なポイント以降の描画処理速度を高速再生から任意の再生速度に変更する。したがって、シークバー上の特徴的なポイント対応した表示箇所に触れられたときに、特徴的なポイントより前の表示データを高速再生し、特徴的なポイント以降の表示データを通常再生することから、無駄な待ち時間の発生を防止し、業務効率の向上を図ることができる。
【００２６】
（１０）本発明は、携帯型端末と、サーバとからなり、前記サーバが格納する問題を前記携帯型端末に配信するとともに、前記配信した問題に対して、前記携帯型端末を用いて解答された解答データをユーザに対応付けて保存し、前記解答データの解析等の処理を行う手書きデータ再生表示システムにおけるデータ再生表示方法であって、前記携帯型端末が、入力された手書きデータの座標情報を検出する第１のステップ（例えば、図１０のステップＳ２０１に相当）と、前記携帯型端末が、該入力された手書きデータの時刻情報を検出する第２のステップ（例えば、図１０のステップＳ２０２に相当）と、前記携帯型端末が、前記入力された手書きデータのイベント情報を検出する第３のステップ（例えば、図１０のステップＳ２０３に相当）と、前記携帯型端末が、前記検出した座標情報と時刻情報とイベント情報とを対にして前記サーバに送信する第４のステップ（例えば、図１０のステップＳ２０４に相当）と、前記サーバが、受信した前記座標情報と時刻情報とイベント情報とを対にして保存する第５のステップ（例えば、図１０のステップＳ２０５に相当）と、前記サーバが、受信した前記座標情報と時刻情報とイベント情報とを解析して特徴的なポイントの前記座標情報と時刻情報との対にフラグ情報を付加する第６のステップ（例えば、図１０のステップＳ２０６に相当）と、前記サーバが、該特徴的なポイントの座標情報と時刻情報と付加情報を含むその他すべての受信情報を前記携帯型端末に返送する第７のステップ（例えば、図１０のステップＳ２０７に相当）と、前記携帯型端末が、前記特徴的なポイントの座標情報と時刻情報とイベント情報とに基づいて、該当箇所に前記特徴的なポイント対応した表示を行うシークバーの前記特徴的なポイント対応した表示箇所に触れられたときに、前記描画処理を起動し、前記特徴的なポイント以降の描画処理速度を高速再生から任意の再生速度に変更する第８のステップ（例えば、図１０のステップＳ２０８に相当）と、を備えたことを特徴とする手書きデータ再生表示方法を提案している。
【００２７】
この発明によれば、携帯型端末は、入力された手書きデータの座標情報を検出し、入力された手書きデータの時刻情報を検出する。また、入力された手書きデータのイベント情報を検出し、検出した座標情報と時刻情報とイベント情報とを対にしてサーバに送信する。サーバは、受信した座標情報と時刻情報とイベント情報とを対にして保存し、受信した座標情報と時刻情報とイベント情報とを解析して特徴的なポイントの座標情報と時刻情報との対にフラグ情報を付加し、特徴的なポイントの座標情報と時刻情報と付加情報を含むその他すべての受信情報を携帯型端末に返送する。そして、携帯型端末は、特徴的なポイントの座標情報と時刻情報とイベント情報とに基づいて、該当箇所に前記特徴的なポイント対応した表示を行うシークバーの特徴的なポイント対応した表示箇所に触れられたときに、描画処理を起動し、特徴的なポイント以降の描画処理速度を高速再生から任意の再生速度に変更する。つまり、携帯型端末は、イベント情報を検出し、座標情報、時刻情報ともに、これらの情報をサーバに送信し、サーバは、受信した座標情報と時刻情報とイベント情報とを解析して特徴的なポイントの座標情報と時刻情報との対にフラグ情報を付加し、特徴的なポイントの座標情報と時刻情報と付加情報を含むその他すべての受信情報を返送する。そして、携帯型端末は、シークバー上の特徴的なポイント対応した表示箇所に触れられたときに、特徴的なポイント以降の描画処理速度を高速再生から任意の再生速度に変更する。したがって、シークバー上の特徴的なポイント対応した表示箇所に触れられたときに、特徴的なポイントより前の表示データを高速再生し、特徴的なポイント以降の表示データを通常再生することから、無駄な待ち時間の発生を防止し、業務効率の向上を図ることができる。
【００２８】
（１１）本発明は、携帯型端末と、サーバとからなり、前記サーバが格納する問題を前記携帯型端末に配信するとともに、前記配信した問題に対して、前記携帯型端末を用いて解答された解答データをユーザに対応付けて保存し、前記解答データの解析等の処理を行う手書きデータ再生表示システムにおけるデータ再生表示方法をコンピュータに実行させるためのプログラムであって、前記携帯型端末が、入力された手書きデータの座標情報を検出する第１のステップ（例えば、図７のステップＳ１０１に相当）と、前記携帯型端末が、該入力された手書きデータの時刻情報を検出する第２のステップ（例えば、図７のステップＳ１０２に相当）と、前記携帯型端末が、前記入力された手書きデータのイベント情報を検出する第３のステップ（例えば、図７のステップＳ１０３に相当）と、前記携帯型端末が、前記検出した座標情報と時刻情報とイベント情報とを対にして前記サーバに送信する第４のステップ（例えば、図７のステップＳ１０４に相当）と、前記サーバが、受信した前記座標情報と時刻情報とイベント情報とを対にして保存する第５のステップ（例えば、図７のステップＳ１０５に相当）と、前記サーバが、受信した前記座標情報と時刻情報とイベント情報とを解析して特徴的なポイントの前記座標情報と時刻情報との対にフラグ情報を付加する第６のステップ（例えば、図７のステップＳ１０６に相当）と、前記サーバが、該特徴的なポイントの座標情報と時刻情報と付加情報を含むその他すべての受信情報を前記携帯型端末に返送する第７のステップ（例えば、図７のステップＳ１０７に相当）と、前記携帯型端末が、受信した前記特徴的なポイントのフラグ情報を検出したときに、描画処理速度を高速再生から任意の再生速度に変更する第８のステップ（例えば、図７のステップＳ１０８に相当）と、前記携帯型端末が、該描画処理された情報をパネルに表示する第９のステップ（例えば、図７のステップＳ１０９に相当）と、をコンピュータに実行させるためのプログラムを提案している。
【００２９】
この発明によれば、携帯型端末が、入力された手書きデータの座標情報を検出し、入力された手書きデータの時刻情報を検出する。また、入力された手書きデータのイベント情報を検出し、検出した座標情報と時刻情報とイベント情報とを対にしてサーバに送信する。サーバは、受信した座標情報と時刻情報とイベント情報とを対にして保存し、受信した座標情報と時刻情報とイベント情報とを解析して特徴的なポイントの座標情報と時刻情報との対にフラグ情報を付加する。また、サーバは、特徴的なポイントの座標情報と時刻情報と付加情報を含むその他すべての受信情報を携帯型端末に返送する。そして、携帯型端末が、受信した特徴的なポイントのフラグ情報を検出したときに、描画処理速度を高速再生から任意の再生速度に変更し、描画処理された情報をパネルに表示する。つまり、携帯型端末は、イベント情報を検出し、座標情報、時刻情報ともに、これらの情報をサーバに送信し、サーバは、受信した座標情報と時刻情報とイベント情報とを解析して特徴的なポイントの座標情報と時刻情報との対にフラグ情報を付加し、特徴的なポイントの座標情報と時刻情報と付加情報を含むその他すべての受信情報を返送する。そして、携帯型端末は、シークバー上の特徴的なポイント対応した表示箇所に触れられたときに、特徴的なポイント以降の描画処理速度を高速再生から任意の再生速度に変更する。したがって、シークバー上の特徴的なポイント対応した表示箇所に触れられたときに、特徴的なポイントより前の表示データを高速再生し、特徴的なポイント以降の表示データを通常再生することから、無駄な待ち時間の発生を防止し、業務効率の向上を図ることができる。
【００３０】
（１２）本発明は、携帯型端末と、サーバとからなり、前記サーバが格納する問題を前記携帯型端末に配信するとともに、前記配信した問題に対して、前記携帯型端末を用いて解答された解答データをユーザに対応付けて保存し、前記解答データの解析等の処理を行う手書きデータ再生表示システムにおけるデータ再生表示方法をコンピュータに実行させるためのプログラムであって、前記携帯型端末が、入力された手書きデータの座標情報を検出する第１のステップ（例えば、図１０のステップＳ２０１に相当）と、前記携帯型端末が、該入力された手書きデータの時刻情報を検出する第２のステップ（例えば、図１０のステップＳ２０２に相当）と、前記携帯型端末が、前記入力された手書きデータのイベント情報を検出する第３のステップ（例えば、図１０のステップＳ２０３に相当）と、前記携帯型端末が、前記検出した座標情報と時刻情報とイベント情報とを対にして前記サーバに送信する第４のステップ（例えば、図１０のステップＳ２０４に相当）と、前記サーバが、受信した前記座標情報と時刻情報とイベント情報とを対にして保存する第５のステップ（例えば、図１０のステップＳ２０５に相当）と、前記サーバが、受信した前記座標情報と時刻情報とイベント情報とを解析して特徴的なポイントの前記座標情報と時刻情報との対にフラグ情報を付加する第６のステップ（例えば、図１０のステップＳ２０６に相当）と、前記サーバが、該特徴的なポイントの座標情報と時刻情報と付加情報を含むその他すべての受信情報を前記携帯型端末に返送する第７のステップ（例えば、図１０のステップＳ２０７に相当）と、前記携帯型端末が、前記特徴的なポイントの座標情報と時刻情報とイベント情報とに基づいて、該当箇所に前記特徴的なポイント対応した表示を行うシークバーの前記特徴的なポイント対応した表示箇所に触れられたときに、前記描画処理を起動し、前記特徴的なポイント以降の描画処理速度を高速再生から任意の再生速度に変更する第８のステップ（例えば、図１０のステップＳ２０８に相当）と、をコンピュータに実行させるためのプログラムを提案している。
【００３１】
この発明によれば、携帯型端末は、入力された手書きデータの座標情報を検出し、入力された手書きデータの時刻情報を検出する。また、入力された手書きデータのイベント情報を検出し、検出した座標情報と時刻情報とイベント情報とを対にしてサーバに送信する。サーバは、受信した座標情報と時刻情報とイベント情報とを対にして保存し、受信した座標情報と時刻情報とイベント情報とを解析して特徴的なポイントの座標情報と時刻情報との対にフラグ情報を付加し、特徴的なポイントの座標情報と時刻情報と付加情報を含むその他すべての受信情報を携帯型端末に返送する。そして、携帯型端末は、特徴的なポイントの座標情報と時刻情報とイベント情報とに基づいて、該当箇所に前記特徴的なポイント対応した表示を行うシークバーの特徴的なポイント対応した表示箇所に触れられたときに、描画処理を起動し、特徴的なポイント以降の描画処理速度を高速再生から任意の再生速度に変更する。つまり、携帯型端末は、イベント情報を検出し、座標情報、時刻情報ともに、これらの情報をサーバに送信し、サーバは、受信した座標情報と時刻情報とイベント情報とを解析して特徴的なポイントの座標情報と時刻情報との対にフラグ情報を付加し、特徴的なポイントの座標情報と時刻情報と付加情報を含むその他すべての受信情報を返送する。そして、携帯型端末は、シークバー上の特徴的なポイント対応した表示箇所に触れられたときに、特徴的なポイント以降の描画処理速度を高速再生から任意の再生速度に変更する。したがって、シークバー上の特徴的なポイント対応した表示箇所に触れられたときに、特徴的なポイントより前の表示データを高速再生し、特徴的なポイント以降の表示データを通常再生することから、無駄な待ち時間の発生を防止し、業務効率の向上を図ることができる。
【発明の効果】
【００３２】
本発明によれば、ユーザのつまずいているポイント等着目したいポイントを境に描画再生速度を変更することから、業務の効率化を図ることができるという効果がある。また、着目したいポイントを境に描画再生色を変更することから、着目したいポイントを視覚によって確認することができるという効果がある。
【図面の簡単な説明】
【００３３】
【図１】本発明の第１の実施形態に係る手書きデータ再生表示システムの構成を示す図である。
【図２】本発明の第１の実施形態に係る携帯型端末の構成を示す図である。
【図３】本発明の第１の実施形態における手書きデータを例示した図である。
【図４】図３において例示した手書きデータを数値化した図である。
【図５】本発明の第１の実施形態に係るサーバの構成を示す図である。
【図６】本発明の第１の実施形態に係る携帯型端末に表示される手書きデータを例示した図である。
【図７】本発明の第１の実施形態に係る手書きデータ再生表示システムの処理を示す図である。
【図８】本発明の第２の実施形態に係る携帯型端末の構成を示す図である。
【図９】本発明の第２の実施形態に係る携帯型端末に表示される手書きデータを例示した図である。
【図１０】本発明の第２の実施形態に係る手書きデータ再生表示システムの処理を示す図である。
【発明を実施するための形態】
【００３４】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００３５】
＜第１の実施形態＞
以下、図１から図７を用いて、本発明の第１の実施形態について説明する。
【００３６】
＜手書きデータ再生表示システムの構成＞
図１を用いて、本実施形態に係る手書きデータ再生表示システムの構成について説明する。
【００３７】
本実施形態に係る手書きデータ再生表示システムは、図１に示すように、携帯型端末１００とサーバ２００とから構成され、これらは、ネットワークを介して、接続されている。なお、携帯型端末１００およびサーバ２００の詳細な構成あるいは機能については、後述する。
【００３８】
＜携帯型端末の構成＞
図２から図４、図６を用いて、本実施形態に係る携帯型端末の構成について説明する。
【００３９】
本実施形態に係る携帯型端末は、図２に示すように、座標情報検出部１１０と、時刻情報検出部１２０と、イベント情報検出部１３０と、送信部（手書きデータ送信部）１４０と、受信部（手書きデータ取得部）１５０と、描画処理部１６０と、表示部１７０と、図示しない問題取得部とから構成されている。なお、携帯型端末は問題を解答する学習者（生徒等）、学習者の学習内容を確認する指導者（先生等）が利用でき、１つの携帯型端末を共有して利用するまたは、それぞれ個別に携帯型端末を利用してもよい。
【００４０】
座標情報検出部１１０と、入力された手書きデータの座標情報を検出する。時刻情報検出部１２０は、入力された手書きデータの時刻情報を検出する。イベント情報検出部１３０は、入力された手書きデータのイベント情報を検出する。送信部１４０は、検出した座標情報と時刻情報とイベント情報とを対にして前記サーバに送信する。
【００４１】
具体的には、学習者が問題を解く際に入力する手書きデータが入力され、その手書きデータ及び問題の解答をサーバへアップロードする。手書きデータは、携帯型端末に学習者が入力するイベントの種類、タッチしている点の座標、タッチした時刻から成る。ここでイベントの種類は、学習者が携帯型端末のパネルにタッチ開始した「タッチスタート」、タッチしている点を動かした「タッチムーブ」、タッチを終了する「タッチエンド」、入力した手書きデータを全削除する「ディレート」、直前の「タッチスタート」から「タッチエンド」間のデータを削除する「アンドゥ」とする。
【００４２】
受信部１５０は、サーバ２００から特徴的なポイントの座標情報と時刻情報と付加情報を含むその他すべての情報を受信する。描画処理部１６０は、図示しない制御部から描画再生の指示や描画再生速度、描画再生位置、手書きデータの描画色等の指示を受け、受信した特徴的なポイントのフラグ情報を検出したときに、描画処理速度を高速再生から任意の再生速度に変更する。なお、描画処理部１６０は、手書きデータの描画、再生では実時間での再生に加え、時刻情報から描画にかかる時間を任意の倍率とすることで早送り再生も行うことが可能である。表示部１７０は、描画処理された情報をパネルに表示する。また、学習者が学習を行うための問題が格納されているサーバの図示しない問題配信部から受信した問題を携帯型端末に表示する。さらに、指導者が学習者の学習内容を確認する際も同様に問題を受信し表示する。なお、携帯型端末としては、タブレット端末等が好適である。
【００４３】
上記の内容をより具体的に説明するために、生徒が携帯型端末を用いて、先生が出題した問題に対して、その解答を手書き入力し、解答後に、先生が解答内容を再生して、これを検討する場合について説明する。
【００４４】
まず、携帯型端末１００は、サーバ２００から問題を取得し表示する。生徒は、携帯型端末１００を用いて、表示された問題に対して、解答を手書きで入力する。このとき、携帯型端末１００は、解答とともに、手書きデータを取得する。ここで、手書きデータは、例えば、イベント種類（ｅ）、タッチした点の座標（ｘ、ｙ）及び時刻（ｔ）とする。
【００４５】
また、イベント情報の具体例としては、ｔｏｕｃｈｓｔａｒｔ（ｓ：タッチを開始）、ｔｏｕｃｈｍｏｖｅ（ｍ：タッチ（指）を動かされた）、ｔｏｕｃｈｅｎｄ（ｅ：タッチを終了）、ｕｎｄｏ（ｕ：やり直し：直前のｔｏｕｃｈｕｓｔａｒｔ〜ｔｏｕｃｈｅｎｄ間の一連の手書きデータを削除）、ｄｅｌｅｔｅ（ｄ：全削除）等がある。
【００４６】
また、入力データは、例えば、図３の（Ａ）から（Ｃ）のように、遷移する。そして、携帯型端末は、サーバに入力されたすべての解答、手書きデータを送信する。データ形式は、解答：（問題番号、解答）、手書きデータ：（ｅ、ｘ、ｙ、ｔ）であり、具体的には、図４のようになる。
【００４７】
生徒の解答が終了すると、先生は、携帯型端末１００を用いて、状況を確認したい生徒や問題を選択する。そして、サーバ２００から生徒の解答及び手書きデータを取得する。携帯型端末１００は、取得した解答データを図６に示すように表示し、手書きデータを再生させる。このときの再生方法としては、後述するサーバ２００が付加したイベントフラグに着目し、イベントフラグが立っていない場合には、高速再生を行い、イベントフラグが立っていることを検出したら、通常速度で再生する。なお、このとき、通常再生に移行後の描画色を変更して、視認しやすくしてもよい。また、手書きデータのフラグ情報の有無を検出し、指導者が学習者の学習内容確認のため問題一覧等表示するときに、当該問題に学習者がつまずいているか表示することも可能である。
【００４８】
＜サーバの構成＞
図５を用いて、本実施形態に係るサーバの構成について説明する。
【００４９】
本実施形態に係るサーバは、図５に示すように、受信部２１０と、保存部２２０（データ蓄積部）と、情報付加部２３０（手書きデータ解析部）と、送信部２４０（手書きデータ送信部、問題配信部）とから構成されている。
【００５０】
受信部２１０は、携帯型端末１００が検出した座標情報と時刻情報とイベント情報とを対にした情報を受信する。保存部２２０は、受信した座標情報と時刻情報とイベント情報とを対にして保存する。
【００５１】
情報付加部２３０は、受信した座標情報と時刻情報とイベント情報とを解析して特徴的なポイントの座標情報と時刻情報との対にフラグ情報を付加する。つまり、手書きデータから学習者がつまずいている可能性のある特徴的なポイントを抽出し、その手書きデータの箇所にフラグ情報として手書きデータに追加する。具体的には、格納されている手書きデータの中から、次のいずれかの条件を満たす場合に、特徴的なポイントと判断し、その手書きデータの箇所にフラグ情報として追加する。１）手書きデータのひと筆、ひと筆間にかかっている時間、すなわち「タッチエンド」から次の「タッチスタート」間にかかっている時間が所定の閾値以上の場合、２）１つの問題に対し、所定の閾値以上「ディレート」がある場合、３）１つの問題に対し、所定の閾値以上「アンドゥ」がある場合等を例示できる。そして、フラグ情報を追加後に、手書きデータを返す。送信部２４０は、特徴的なポイントの座標情報と時刻情報と付加情報を含むその他すべての受信情報を携帯型端末１００に送信する。
【００５２】
上記の内容をより具体的に説明するために、生徒が携帯型端末を用いて、先生が出題した問題に対して、その解答を手書き入力し、解答後に、先生が解答内容を再生して、これを検討する場合について説明する。
【００５３】
サーバ２００は、受信した解答、手書きデータを保存部２２０に蓄積する。サーバ２００は、情報付加部２３０で蓄積した手書きデータからつまずきポイントを検出し、つまずいているポイントにフラグをつける。フラグをつけた後のデータは（ｅ、ｘ、ｙ、ｔ、ｆ）となる。また、フラグは、例えば、つまずきがないときｆ＝０、つまずきがあるときｆ＝１とする。
【００５４】
つまずきの有無の検証方法としては、例えば、手書きデータのひと筆、ひと筆間（ｅ＝ｔｏｕｃｈｅｎｄ、ｓ＝ｔｏｕｃｈｓｔａｒｔ）にかかっている時間が一定数以上(閾値を設けておく)であれば、その手書きデータ（ｓ＝ｔｏｕｃｈｓｔａｒｔのデータ）にフラグをつける。あるいは、一定回数以上（閾値を設けておく）全削除が行われたら、その次の手書きデータにフラグをつける。または、一定回数以上（閾値を設けておく）やり直しが行われたら、その次の手書きデータにフラグをつける等の手法が考えられるが、これに限定されるものではない。
【００５５】
＜手書きデータ再生表示システムの処理＞
図７を用いて、本実施形態に係る手書きデータ再生表示システムの処理について説明する。
【００５６】
まず、携帯型端末１００が、入力された手書きデータの座標情報を検出し（ステップＳ１０１）、次に、入力された手書きデータの時刻情報を検出し（ステップＳ１０２）、さらに、入力された手書きデータのイベント情報を検出する（ステップＳ１０３）。そして、検出した座標情報と時刻情報とイベント情報とを対にしてサーバ２００に送信する（ステップＳ１０４）。
【００５７】
サーバ２００は、受信した座標情報と時刻情報とイベント情報とを対にして保存し（ステップＳ１０５）、受信した座標情報と時刻情報とイベント情報とを解析して特徴的なポイントの座標情報と時刻情報との対にフラグ情報を付加して（ステップＳ１０６）、特徴的なポイントの座標情報と時刻情報と付加情報を含むその他すべての受信情報を携帯型端末１００に返送する（ステップＳ１０７）。
【００５８】
携帯型端末１００は、受信した特徴的なポイントのフラグ情報を検出したときに、描画処理速度を高速再生から任意の再生速度に変更し（ステップＳ１０８）、描画処理された情報をパネルに表示する（ステップＳ１０９）。
【００５９】
以上、説明したように、本実施形態によれば、携帯型端末は、イベント情報を検出し、座標情報、時刻情報ともに、これらの情報をサーバに送信し、サーバは、受信した座標情報と時刻情報とイベント情報とを解析して特徴的なポイントの座標情報と時刻情報との対にフラグ情報を付加し、特徴的なポイントの座標情報と時刻情報と付加情報を含むその他すべての受信情報を返送する。そして、携帯型端末は、シークバー上の特徴的なポイント対応した表示箇所に触れられたときに、特徴的なポイント以降の描画処理速度を高速再生から任意の再生速度に変更する。したがって、シークバー上の特徴的なポイント対応した表示箇所に触れられたときに、特徴的なポイントより前の表示データを高速再生し、特徴的なポイント以降の表示データを通常再生することから、無駄な待ち時間の発生を防止し、業務効率の向上を図ることができる。
【００６０】
＜第２の実施形態＞
以下、図８から図１０を用いて、本発明の第２の実施形態について説明する。本実施形態は、サーバの機能は、第１の実施形態と同様であるが、携帯型端末の機能に特徴を有する。したがって、以下では、携帯型端末の説明を中心に行う。
【００６１】
＜携帯型端末の構成＞
図８、図９を用いて、本実施形態に係る携帯型端末の構成について説明する。
【００６２】
本実施形態に係る携帯型端末は、図８に示すように、座標情報検出部１１０と、時刻情報検出部１２０と、イベント情報検出部１３０と、送信部１４０（手書きデータ送信部）と、受信部（手書きデータ取得部）１５０と、描画処理部１６０と、表示部１７０と、シークバー３１０と、描画処理指示部３２０と、図示しない問題取得部とから構成されている。なお、第１の実施形態と同一の符号を付す構成要素については、同様の機能を有することから、その詳細な説明は、省略する。
【００６３】
シークバー３１０は、画像再生の進行状況を視覚的に示すものであるが、このシークバー上に、図９で黒丸で示すように、特徴的なポイントの座標情報と時刻情報とイベント情報とに基づいて、該当箇所に特徴的なポイント対応した表示を行う。描画処理指示部３２０は、特徴的なポイント対応した表示箇所に触れられたときに、起動し、描画処理部１６０が、特徴的なポイント以降の描画処理速度を高速再生から任意の再生速度に変更する。
【００６４】
つまり、本実施形態は、表示部にシークバー３１０を設け、シークバー３１０に特徴的なポイント対応した表示を行うとともに、特徴的なポイント対応した表示箇所に触れられたときに、描画処理を起動し、特徴的なポイントまでは、高速再生を行い、特徴的なポイント以降は任意の再生速度で再生を行う。
【００６５】
具体的には、携帯型端末１００は、状況を確認したい生徒や問題を選択する。そして、サーバ２００から生徒の解答及び手書きデータを取得する。携帯型端末１００は、取得した解答データを表示し、手書きデータを再生させる。このとき、携帯型端末１００は、イベントフラグが立っているポイントの時刻情報に基づいて、再生時刻を算出し、予め設けたシークバー３１０の対応箇所に、図８に示すような明示的な表示を行う。そして、特徴的なポイント対応した表示箇所に触れられたときに、描画処理を起動し、特徴的なポイントまでは、高速再生を行い、特徴的なポイント以降は任意の再生速度で再生を行う。なお、このとき、通常再生に移行後の描画色を変更して、視認しやすくしてもよい。
【００６６】
＜手書きデータ再生表示システムの処理＞
図１０を用いて、本実施形態に係る手書きデータ再生表示システムの処理について説明する。
【００６７】
まず、携帯型端末１００が、入力された手書きデータの座標情報を検出し（ステップＳ２０１）、次に、入力された手書きデータの時刻情報を検出し（ステップＳ２０２）、さらに、入力された手書きデータのイベント情報を検出する（ステップＳ２０３）。そして、検出した座標情報と時刻情報とイベント情報とを対にしてサーバ２００に送信する（ステップＳ２０４）。
【００６８】
サーバ２００は、受信した座標情報と時刻情報とイベント情報とを対にして保存し（ステップＳ２０５）、受信した座標情報と時刻情報とイベント情報とを解析して特徴的なポイントの座標情報と時刻情報との対にフラグ情報を付加して（ステップＳ２０６）、特徴的なポイントの座標情報と時刻情報と付加情報を含むその他すべての受信情報を携帯型端末１００に返送する（ステップＳ２０７）。
【００６９】
そして、携帯型端末１００は、特徴的なポイントの座標情報と時刻情報とイベント情報とに基づいて、該当箇所に特徴的なポイント対応した表示を行うシークバー３１０の特徴的なポイント対応した表示箇所に触れられたときに、描画処理を起動し、特徴的なポイント以降の描画処理速度を高速再生から任意の再生速度に変更する（ステップＳ２０８）。
【００７０】
以上、説明したように、本実施形態によれば、携帯型端末は、イベント情報を検出し、座標情報、時刻情報ともに、これらの情報をサーバに送信し、サーバは、受信した座標情報と時刻情報とイベント情報とを解析して特徴的なポイントの座標情報と時刻情報との対にフラグ情報を付加し、特徴的なポイントの座標情報と時刻情報と付加情報を含むその他すべての受信情報を返送する。そして、携帯型端末は、シークバー上の特徴的なポイント対応した表示箇所に触れられたときに、特徴的なポイント以降の描画処理速度を高速再生から任意の再生速度に変更する。したがって、シークバー上の特徴的なポイント対応した表示箇所に触れられたときに、特徴的なポイントより前の表示データを高速再生し、特徴的なポイント以降の表示データを通常再生することから、無駄な待ち時間の発生を防止し、業務効率の向上を図ることができる。
【００７１】
なお、手書きデータ再生表示システムの処理をコンピュータシステムが読み取り可能な記録媒体に記録し、この記録媒体に記録されたプログラムを携帯型端末およびサーバに読み込ませ、実行することによって本発明の手書きデータ再生表示システムを実現することができる。ここでいうコンピュータシステムとは、ＯＳや周辺装置等のハードウェアを含む。
【００７２】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００７３】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。
【００７４】
以上、この発明の実施形態につき、図面を参照して詳述してきたが、具体的な構成はこの実施形態に限られるものではなく、この発明の要旨を逸脱しない範囲の設計等も含まれる。例えば、上記の実施形態では、携帯型端末とサーバとからなるシステムについて説明したが、サーバの機能を盛り込むことにより、携帯型端末単体で、上記のすべての機能を実現してもよい。また、本実施形態では、学習の場面を例に、利用形態について説明したが、これ以外にも、例えば、ビジネス等において活用することもできる。また、第２の実施形態においては、シークバー上の特徴的なポイントに対応した表示箇所に触れられたことを契機に再生速度を変更する場合について説明したが、第１の実施形態の機能を合体して、例えば、シークバー上の特徴的なポイントに対応した表示箇所に触れられた場合だけでなく、描画再生中に特徴的なポイントに対応する箇所になったときに、自動的に再生速度を変更してもよい。
【符号の説明】
【００７５】
１００；携帯型端末
１１０；座標情報検出部
１２０；時刻情報検出部
１３０；イベント情報検出部
１４０；送信部
１５０；受信部
１６０；描画処理部
１７０；表示部
２００；サーバ
２１０；受信部
２２０；保存部
２３０；情報付加部
２４０；送信部
３１０；シークバー
３２０；描画処理指示部
【図１】
2014038404.tif 000003
【図２】
2014038404.tif 000004
【図３】
2014038404.tif 000005
【図４】
2014038404.tif 000006
【図５】
2014038404.tif 000007
【図６】
2014038404.tif 000008
【図７】
2014038404.tif 000009
【図８】
2014038404.tif 000010
【図９】
2014038404.tif 000011
【図１０】
2014038404.tif 000012